(57)【要約】【課題】１つの地物に対し重複して地物情報が入力及び記録されることを防止する地図表示システムを得る。【解決手段】マウスポインタＭＰが重ねられた地物図形に対応する地物情報を地物情報表示ボックス内に表示する。地物情報表示ボックスには、地物名称つまり建物名称及びその建物に入居するテナント名称が表示される。これらの地物名称の表示にはハイパーリンクが設定される。これらをユーザがクリックした場合、地物名称に対応した地物の詳細な地物情報が詳細情報表示ボックス内に表示される。ユーザが入力部を操作してコメント入力リンクをクリックすると、入力ボックス８１１が表示される。ユーザはこの入力ボックス８１１に地物情報を入力する。ユーザは、地物図形にマウスポインタＭＰを重ねたときに表示されるボックスを介して地物情報を入力するため、１つの地物に対して重複した地物情報を入力することがなくなる。【選択図】図９
2009157144.tif 000002
【特許請求の範囲】
【請求項１】
地物を示す地物表示を有する地図と前記地物表示に対応する地物図形とを同時に表示する地図表示部と、
前記地図表示部に表示された地物図形を選択する地物選択手段と、
地物に関連する情報である地物情報を入力する地物情報入力手段と、
選択された地物図形が対応する地物と前記地物情報入力手段を用いて入力された地物情報とを関連付けて記録する情報記録手段とを備え、
前記地図表示部は、前記地物図形が前記地物表示と一対一に対応するように前記地図上の前記地物表示の上に前記地物図形を重ねて表示する地図表示システム。
【請求項２】
前記地物図形は前記地物表示の形状に応じた形状を有する請求項１に記載の地図表示システム。
【請求項３】
前記地図表示部、前記地物選択手段、及び前記地物情報入力手段は端末装置に設けられ、
前記情報記録手段と前記端末装置とは通信手段を介して接続される請求項２に記載の地図表示システム。
【請求項４】
前記通信手段はインターネットである請求項３に記載の地図表示システム。
【請求項５】
前記情報記録手段が前記地図を表す地図データを所定の範囲に分割して記録し、
前記地図表示部が複数の前記所定の範囲にわたる地図データを用いて前記地図を表示するとき、前記情報記録手段が前記地図を表す前記地図データ全てを前記地図表示部に送信する請求項１に記載の地図表示システム。
【請求項６】
前記情報記録手段は前記地物図形を所定の座標系による座標を用いて記録し、前記座標は前記地物図形の少なくとも一部を含む前記所定の範囲と関連付けて記録され、
前記地図表示部が複数の前記所定の範囲にわたる地図データを用いて前記地図を表示するとき、前記情報記録手段が前記地図を表す前記所定の範囲の地図データ全てと、前記地図を表す前記所定の範囲に関連付けて記録された前記地物図形の前記座標とを前記地図表示部に送信する請求項５に記載の地図表示システム。
【請求項７】
地物を示す地物表示を有する地図データと前記地物表示に対応する地物図形とを同時に表示する地図表示ステップと、
前記地物図形が前記地物表示と一対一に対応するように前記地図データ上の前記地物表示の上に前記地物図形を重ねて表示する地物図形表示ステップと、
前記地図表示部に表示された地物図形を選択する地物選択ステップと、
地物に関連する情報である地物情報を入力する地物情報入力ステップと、
選択された地物図形が対応する地物と前記地物情報入力手段を用いて入力された地物情報とを関連付けて記録する情報記録ステップとをコンピュータに実行させる地図表示プログラム。
【発明の詳細な説明】
【技術分野】
【０００１】
本発明は、地図が有する地物に情報を入力可能な地図表示システムに関する。
【背景技術】
【０００２】
従来、地物に関する情報をユーザが入力し、これをサーバに記録する地図表示システムが知られている。ユーザは、表示装置に表示された地図上における特定地点を選択して特定地点に関連する地点情報を入力し、サーバに送信する。サーバはこの地点情報を受信して、特定地点と地点情報とを関連付けて記録する。
【発明の開示】
【発明が解決しようとする課題】
【０００３】
しかし、地物を表示する地物表示は地図上において一定の領域を有するため、ユーザは地物表示の領域内において複数の地点を選択することが可能である。そのため１つの地物に関連する１つの地物情報が、複数の地点に重複して入力及び記録されることがある。すなわち、１つの地物に対して複数の同じ地物情報が関連付けられて記録される。
【０００４】
複数の同じ地物情報が関連付けられている地物表示を地図上に表示すると、１つの地物表示に対し同じ情報が複数、重複して表示される。このような重複表示は、地図を参照するユーザを混乱させるだけでなく、情報の視認性を低下させる。これは、多くの地物が存在するために地物情報の表示領域が限られる都市部において顕著である。
【０００５】
また、重複表示を避けるために管理者が地物情報の確認を行ってからサーバに記録することも考えられる、しかし、地図上に表現される地物は膨大な数であるため、全ての地物に対して地物情報を確認することは困難である。
【０００６】
本発明はこれらの問題を鑑みてなされたものであり、１つの地物に対し重複して地物情報が入力及び記録されることを防止する地図表示システムを得ることを目的とする。
【課題を解決するための手段】
【０００７】
本願第１の発明による地図表示システムは、地物を示す地物表示を有する地図データと地物表示に対応する地物図形とを同時に表示する地図表示部と、地図表示部に表示された地物図形を選択する地物選択手段と、地物に関連する情報である地物情報を入力する地物情報入力手段と、選択された地物図形が対応する地物と地物情報入力手段を用いて入力された地物情報とを関連付けて記録する情報記録手段とを備え、地図表示部は、地物図形が地物表示と一対一に対応するように地図データ上の地物表示の上に地物図形を重ねて表示することを特徴とする。
【０００８】
地物図形は地物表示の形状に応じた形状を有することが好ましい。これにより、ユーザは、地図上に表示された地物形状を違和感なく選択することが可能になる。
【０００９】
地図表示部、地物選択手段、及び地物情報入力手段は端末装置に設けられ、情報記録手段と端末装置とは通信手段を介して接続されてもよい。これにより、遠隔地に設けられた端末装置を用いて地物情報を入力することが可能になる。
【００１０】
通信手段はインターネットであってもよい。これにより、遠隔地に設けられた端末装置を用いて地物情報を入力することが容易になる。
【００１１】
情報記録手段が地図を表す地図データを所定の範囲に分割して記録し、地図表示部が複数の所定の範囲にわたる地図データを用いて地図を表示するとき、情報記録手段が地図を表す地図データ全てを地図表示部に送信してもよい。これにより、地図表示部は地図表示の更新を迅速に行うことが可能になる。
【００１２】
情報記録手段は地物図形を所定の座標系による座標を用いて記録し、座標は地物図形の少なくとも一部を含む所定の範囲と関連付けて記録され、地図表示部が複数の所定の範囲にわたる地図データを用いて地図を表示するとき、情報記録手段が地図を表す所定の範囲の地図データ全てと、地図を表す所定の範囲に関連付けて記録された地物図形の座標とを地図表示部に送信することが好ましい。これにより、地物図形の表示の更新を迅速に行うことが可能になる。
【００１３】
本願第２の発明による地図表示プログラムは、地物を示す地物表示を有する地図データと地物表示に対応する地物図形とを同時に表示する地図表示ステップと、地物図形が地物表示と一対一に対応するように地図データ上の地物表示の上に地物図形を重ねて表示する地物図形表示ステップと、地図表示部に表示された地物図形を選択する地物選択ステップと、地物に関連する情報である地物情報を入力する地物情報入力ステップと、選択された地物図形が対応する地物と地物情報入力手段を用いて入力された地物情報とを関連付けて記録する情報記録ステップとをコンピュータに実行させることを特徴とする。
【発明の効果】
【００１４】
本発明によれば、１つの地物に対し重複する地物情報が入力及び記録されることを防止する地図表示システムを得る。
【発明を実施するための最良の形態】
【００１５】
以下、本発明における地図表示システムの一実施形態について添付図面を参照して説明する。図１はネットワークを介して接続された情報記録手段すなわちサーバＢと、複数の端末装置すなわち第１〜第ｎクライアントＡ１からＡｎとを概念的に示した図である。ここで、ｎは１以上の整数である。第１〜第ｎクライアントＡ１〜Ａｎは、ネットワーク、例えばインターネットを介してサーバＢと通信可能である。
【００１６】
第１〜第ｎクライアントＡ１〜Ａｎは、クライアント制御部３０Ａ１〜３０Ａｎ、入力部４０Ａ１〜４０Ａｎ、及び表示部５０Ａ１〜５０Ａｎを各々有する。クライアント制御部３０Ａ１〜３０Ａｎは、第１〜第ｎクライアントＡ１〜Ａｎの各部の制御、及びサーバＢとのデータの送受信を行う。入力部４０Ａ１〜４０Ａｎは、キーボードやポインティングデバイス等の入力装置であり、ユーザはこれらを用いて第１〜第ｎクライアントＡ１〜Ａｎにデータを入力する。入力されたデータはクライアント制御部３０Ａ１〜３０Ａｎにより処理され、例えばサーバＢに送信される。表示部５０Ａ１〜５０Ａｎは、サーバＢから受信したデータの表示、及び入力部４０Ａ１〜４０Ａｎを用いて入力されたデータ等を表示する。
【００１７】
サーバＢはサーバ制御部３０Ｂ及びサーバ記録部６０Ｂを備える。サーバ制御部３０Ｂはネットワークを介してクライアント制御部３０Ａ１〜３０Ａｎとデータを送受信する。サーバ制御部３０Ｂはサーバ記録部６０Ｂからデータを読み出して送信、あるいは受信したデータをサーバ記録部６０Ｂに記録する。
【００１８】
サーバ記録部６０Ｂには地図データ及び地物情報が記録される。地物情報は地図データが有する地物に関連付けて記録される。
【００１９】
表示部５０Ａ１〜５０Ａｎには、地図データを用いて地図が表示される。地図上には、地上に存在する天然又は人工の物体、すなわち地物を上空から見た形状に略合致した二次元形状である地物表示が表示される。地物表示は地図の一部として表示されるものであり、その形状、位置は座標により特定されない。地物表示上には、地物表示の二次元形状に略合致した二次元形状を有する地物図形が表示される。地物図形は、地図上において地物表示と同じ位置に同じ形状で表示される図形であり、その形状は世界測地系による座標を用いて定められる。この座標は地物固有の地物ＩＤと共に地物図形データとしてサーバ記録部６０Ｂに記録される。
【００２０】
図２を用いて地図表示と地図データ及び地物図形データとの関係について説明する。
【００２１】
まず、第ｎクライアントＡｎとサーバＢとの間で行われる送受信の前に予めサーバ記録部６０Ｂに記録されるデータについて説明する。
【００２２】
地図は複数の地図データ領域に分割されてサーバ記録部６０Ｂにあらかじめ記録されている。図２では、分割線１２１、１２２、１２３、１２４により地図の一部が地図データ領域Ａ１、Ａ２、Ａ３、Ｂ１、Ｂ２、Ｂ３、Ｃ１、Ｃ２、Ｃ３に分割されて示される。
【００２３】
地図には地物表示が表示され、地図上において地物表示と同じ位置に同じ形状で地物図形α、β、γ、δ、εが表示される。地物図形αは地図データ領域Ｂ１とＢ２に位置し、地物図形βは地図データ領域Ａ２に、地物図形γは地図データ領域Ｂ１とＣ１に、地物図形δは地図データ領域Ｂ３とＣ３に、地物図形εは地図データ領域Ａ１にそれぞれ位置する。
【００２４】
地物図形は地物を上空から見た形状における頂点の座標であらかじめ定義される。例えば地物図形αは座標の集合（α１，α２，α３，α４）により定義される。α１、α２、α３、α４は地物図形αにおける各頂点の世界測地系による座標である。同様にして地物図形βは座標の集合（β１，β２，β３，β４）により、地物図形γは座標の集合（γ１，γ２，γ３，γ４）により、地物図形δは、座標の集合（δ１，δ２，δ３，δ４）により、地物図形εは座標の集合（ε１，ε２，ε３，ε４）により、あらかじめ各々定義される。これらの座標は地物図形データを構成し、地物ごとに割り当てられる地物ＩＤと共にサーバ記録部６０Ｂに記録される。
【００２５】
各地図データ領域には、地物表示のうち少なくとも一部を含む地物表示の地物図形データをあらかじめ関連付ける。すなわち、地図データ領域Ａ１には地物図形εの地物図形データが、地図データ領域Ａ２には地物図形βの地物図形データが、地図データ領域Ｂ１には地物図形α、γの地物図形データが、地図データ領域Ｂ２には地物図形αの座標が、地図データ領域Ｂ３には地物図形δの地物図形データが、地図データ領域Ｃ１には地物図形γの地物図形データが、地図データ領域Ｃ３には地物図形δの地物図形データが、あらかじめそれぞれ関連付けられる。地図データ領域Ａ３、Ｃ２には地物図形が存在しないため、これらの地図データ領域に関連付けられる地物図形データはない。
【００２６】
次に第ｎクライアントＡｎとサーバＢとの間で行われる地図データ及び地物図形データの送受信について説明する。
【００２７】
第１の表示領域１００は、現在、表示部５０Ａｎに表示されている地図の領域を示す。この領域を表示するために、第ｎクライアントには地図データ領域Ａ１、Ａ２、Ｂ１、Ｂ２の地図データと、地図データ領域Ａ１、Ａ２、Ｂ１、Ｂ２に関連付けられている地物表示の地物図形データ、つまり地物図形α、β、γ、εの地物図形データとが送信されている。第ｎクライアントは地図データと地物図形データとを受信して、地物図形データをＳＶＧ（Ｓｃａｌａｂｌｅ  Ｖｅｃｔｏｒ  Ｇｒａｐｈｉｃｓ）言語で記述し、地図及び地物図形として表示する。このとき、地物図形は、地図上に示された地物表示と同じ形状かつ同じ位置に、地物の属性に応じた色、例えば薄緑色を用いて表示される。
【００２８】
ユーザが表示部５０Ａｎに第２の表示領域１０１を表示するとき、第ｎクライアントは地図データ領域Ａ１、Ａ２、Ｂ１、Ｂ２の地図データと地物図形α、β、εの地物図形データとを必要とする。しかし、これらのデータは第１の表示領域を表示するときに既に第ｎクライアントが受信しているデータである。そのため、第ｎクライアントは何らの地図データ及び地物図形データをサーバＢに要求しなくても、第２の表示領域１０１を表示することが可能である。
【００２９】
次に、ユーザが表示部５０Ａｎに第３の表示領域１０２を表示するとき、第ｎクライアントは地図データ領域Ｂ２、Ｂ３の地図データと地物図形α、δの地物図形データとを必要とする。これらのデータのうち、地図データ領域Ｂ２の地図データと地物図形αの地物図形データとを第ｎクライアントは既に受信している。一方、地図データ領域Ｂ３の地図データと地物図形δの地物図形データとを第ｎクライアントは未だ受信していない。そのため、第ｎクライアントは地図データ領域Ｂ３の地図データと地物図形δの地物図形データとをサーバＢに要求する。そして、第ｎクライアントは地図データと地物図形データとを受信して、地物図形データをＳＶＧ（Ｓｃａｌａｂｌｅ  Ｖｅｃｔｏｒ  Ｇｒａｐｈｉｃｓ）言語で記述し、地図及び地物図形として表示する。
【００３０】
これにより、サーバＢと第ｎクライアントとの間で生じるデータの送受信回数を減らして、表示部５０Ａｎに地図及び地物図形を迅速に表示することが可能となる。
【００３１】
次に、図３及び４を参照して、ユーザによる地図の参照について説明する。
【００３２】
ステップＳ２１において、ユーザが所望の地点の周辺地図を閲覧しようとするとき、ユーザは表示部５０Ａｎの地図表示部３２１に表示された地図を参照しながら、表示されている地図上において閲覧したい地点を入力部、例えばマウスを操作して選択、つまりクリックする。クリックされたとき処理はステップＳ２３へ移行する。ステップＳ２３では、クライアント制御部３０Ａｎはクリックされた地点の緯度・経度及び表示したい地図の範囲を地図リクエスト信号としてサーバＢに送信する。サーバＢでは、サーバ制御部３０Ｂが地図リクエスト信号を受信して、サーバ記録部６０Ｂにクリックされた地点の緯度・経度及び表示したい地図の範囲に相当する地図データ、並びに地図データの範囲に含まれる地物の地物図形データを要求する。サーバ記録部６０Ｂは相当する地図データ及び地物図形データをサーバ制御部３０Ｂに送信し、サーバ制御部３０Ｂは第ｎクライアントＡｎに地図データを送信する。そして処理はステップＳ２４へ移行する。
【００３３】
ステップＳ２１において閲覧したい地点が選択されないときには処理はステップＳ２２へ移行する。ステップＳ２２において、ユーザが表示したい住所又は地物名称が住所入力ボックス３１１に入力され、かつ検索ボタン３１２がクリックされると、処理はステップＳ２３へ移行する。そうでない場合、処理は終了する。ステップＳ２３では、クライアント制御部３０Ａｎは入力された住所又は地物名称及び表示したい地図の範囲を地図リクエスト信号としてサーバＢに送信する。サーバＢでは、サーバ制御部３０Ｂが地図リクエスト信号を受信して、サーバ記録部６０Ｂに入力された住所又は地物名称及び表示したい地図の範囲に相当する地図データ、並びに地図データの範囲に含まれる地物の地物図形データを要求する。サーバ記録部６０Ｂは相当する地図データ及び地物図形データをサーバ制御部３０Ｂに送信し、サーバ制御部３０Ｂは第ｎクライアントＡｎに地図データを送信する。そして処理はステップＳ２４へ移行する。
【００３４】
ステップＳ２４では、クライアント制御部Ａｎが地図データ及び地物図形を受信し、クリックされた地点、又は入力された住所若しくは地物名称に相当する地点が表示部の中心となるように地図及び地物図形を地図表示部３２１に表示する（図４参照）。図４において斜線を用いてハッチングされて示される図形が地物図形である。
【００３５】
次に、図４から７を参照して、地物情報を表示する処理である地物情報表示処理について説明する。
【００３６】
ステップＳ４１では、地図表示処理に従いクライアント制御部Ａｎが地図データ及び地物図形を受信して地図及び地物図形を地図表示部３２１に表示する（図４参照）。次のステップＳ４２において、クライアント制御部３０Ａｎは地物図形上、例えば一定時間の間、マウスポインタＭＰが建物３３１に重ねられたか否かを判断する。マウスポインタＭＰは、ユーザが入力部４０Ａｎを操作することにより動かされる。マウスポインタＭＰが重ねられたときには処理はステップＳ４３へ移行する。一定時間の間、重ねられないときには処理は終了する。
【００３７】
次にステップＳ４３では、クライアント制御部３０ＡｎはマウスポインタＭＰが重ねられた地物図形の地物ＩＤを地物図形リクエスト信号としてサーバＢに送信する。サーバＢでは、サーバ制御部３０Ｂが地物図形リクエスト信号を受信して、マウスポインタＭＰが重ねられた地物図形に対応する地物情報をサーバ記録部６０Ｂに要求する。サーバ記録部６０Ｂは対応する地物情報をサーバ制御部３０Ｂに送信し、サーバ制御部３０Ｂは第ｎクライアントＡｎに地物情報を送信する。そして処理はステップＳ４４へ移行する。
【００３８】
ステップＳ４４では、クライアント制御部Ａｎが地物情報を受信し、地物情報に対応する地物図形の近傍に地物情報を表示する（図６参照）。この表示は、地図表示部３２１上に新たに地物情報表示ボックス４１１を設け、その中に地物情報を表示することにより行われる。
【００３９】
地物情報表示ボックス４１１には、地物名称、例えば建物名称４１２、その建物に入居するテナント名称４１３ａ、４１３ｂ、４１３ｃが表示される。これらの地物名称の表示にはハイパーリンクが設定される。ステップＳ４５では、ユーザがマウスポインタＭＰを操作してこれらのハイパーリンクをクリックしたか否かが判断される。ユーザがクリックした場合、ステップＳ４６においてクライアント制御部３０Ａｎはクリックされた地物名称を地物情報リクエスト信号としてサーバＢに送信する。サーバＢでは、サーバ制御部３０Ｂが地物情報リクエスト信号を受信して、クリックされた地物名称に対応する地物情報をサーバ記録部６０Ｂに要求する。サーバ記録部６０Ｂは対応する地物情報をサーバ制御部３０Ｂに送信し、サーバ制御部３０Ｂは第ｎクライアントＡｎに地物情報を送信する。そして処理はステップＳ４７へ移行し、地物名称に対応した地物の詳細な地物情報が表示される。この表示は、地図表示部３２１上に新たに詳細情報表示ボックス６１１を設け、その中に建物等の詳細な地物情報を表示することにより行われる（図７参照）。詳細な地物情報には建物等の文字情報の他、画像情報等も含まれる。ステップＳ４５においてハイパーリンクがクリックされないとき、処理は終了する。
【００４０】
次に、図７から９を参照して、地物情報を入力する処理である地物情報入力処理について説明する。
【００４１】
まずステップＳ７１では、地図表示処理及び地物情報表示処理に従い地図、地物図形、及び詳細な地物情報を地図表示部３２１上に設けられた詳細情報表示ボックス６１１に表示する（図７参照）。詳細情報表示ボックス６１１には、コメント入力リンク６１２が設けられる。
【００４２】
次のステップＳ７２において、ユーザが入力部４０Ａｎを操作してコメント入力リンク６１２をクリックしたか否かが判断される。クリックした場合、処理はステップＳ７３に進む。クリックされないときには処理は終了する。
【００４３】
次にステップＳ７３では、まず地図表示部３２１上に新たに入力ボックス８１１が表示される（図９参照）。ユーザはこの入力ボックス８１１に地物情報を入力する。ユーザは入力部４０Ａｎを操作して情報入力テキストボックス８２１に地物情報を入力する。また、画像を登録したいときには、画像入力テキストボックス８２２に画像ファイルのパスを入力する。入力が終了すると、ユーザは入力ボタン８３１をクリックする。
【００４４】
次のステップＳ７４において、クライアント制御部３０Ａｎは、情報入力ボックス８２１に入力された入力地物情報及び画像入力ボックス８２２に入力されたパスに存在する入力画像ファイルを地物と関連付けるデータと共に、入力地物信号としてサーバＢに送信する。サーバＢでは、サーバ制御部３０Ｂが入力情報信号を受信して、入力地物情報及び入力画像ファイルを地物と関連付けながらサーバ記録部６０Ｂに記録する。これにより入力処理が終了する。
【００４５】
本発明によれば、ユーザは、地物図形にマウスポインタＭＰを重ねたときに表示されるボックスを介して地物情報を入力する。そのため１つの地物に対して複数の地点を選択して情報を入力することができない。すなわち、１つの地物に対して１つの地物図形を設定することにより、ユーザが１つの地物に対して重複した地物情報を入力することがなくなる。
【００４６】
なお、本明細書においては第ｎクライアントとサーバとがネットワークを介してデータの送受信を行うとして説明したが、第ｎクライアントとサーバとが１つのコンピュータに設けられるプログラム又は装置であって、互いにデータの送受信を行うものであってもよい。
【００４７】
また、地物図形は世界測地系による座標を用いて定められなくてもよく、表示部５０Ａｎ上において地物の位置を特定しうる座標系により定められればよい。
【００４８】
ステップＳ４２において、クライアント制御部３０Ａｎは、地物図形にマウスポインタＭＰが重ねられたか否かを判断するが、地物図形がクリックされたか否かを判断し、クリックしたときにステップＳ４３へ移行してもよい。
【００４９】
さらに、地物図形は二次元に限定されず、地図又は地物表示が三次元で表現されるときには三次元で地図上に表現されてもよい。このとき、地物図形データは三次元の座標により構成される。
【図面の簡単な説明】
【００５０】
【図１】本発明による地図表示システムを概念的に示した図である。
【図２】地図表示を概念的に示した図である。
【図３】地図表示処理のフローチャートである。
【図４】表示部に表示された地図及び地物図形を概略的に示した図である。
【図５】地物情報表示処理のフローチャートである。
【図６】表示部に表示された地物情報を概略的に示した図である。
【図７】表示部に表示された詳細な地物情報を概略的に示した図である。
【図８】地物情報入力処理のフローチャートである。
【図９】表示部に表示された地物情報入力ボックスを概略的に示した図である。
【符号の説明】
【００５１】
Ａ１  第１クライアント
３０Ａ１  クライアント制御部
４０Ａ１  入力部
５０Ａ１  表示部
Ｂ  サーバ
３０Ｂ  サーバ制御部
６０Ｂ  サーバ記録部
３１１  住所入力ボックス
３１２  検索ボタン
３２１  地図表示部
４１１  地物情報表示ボックス
ＭＰ  マウスポインタ
６１１  詳細情報表示ボックス
８１１  入力ボックス
８２１  情報入力テキストボックス
８２２  画像入力テキストボックス
【図１】
2009157144.tif 000003
【図２】
2009157144.tif 000004
【図３】
2009157144.tif 000005
【図４】
2009157144.tif 000006
【図５】
2009157144.tif 000007
【図６】
2009157144.tif 000008
【図７】
2009157144.tif 000009
【図８】
2009157144.tif 000010
【図９】
2009157144.tif 000011